(57)【要約】【課題】  給水・給湯配管における合成樹脂管（パイプＡ）を接続する管継手で、Ｏリングを装着した挿入筒部１４を備えてなる継手本体１と、前記挿入筒部の基端側にパイプ差込空間を確保して覆うと共に、基部を継手本体に連結してなる透明覆体２と、内周箇所に逆爪を周設した抜け止め用のバネリング板と、透明覆体の先端側に装着固定して、前記透明覆体の先端面に配置したバネリング板を回動自在に保持する筒状キャップ体４とで構成してなる管継手において、パイプＡの接続確認を簡単に且つ確実に行うことができるようにする。【解決手段】  挿入筒部１４の基端近接位置の外周面の全周に、塗着着色による所定幅の確認帯部１７を設け、パイプＡによる確認帯部１７の隠蔽状態を目視する。【選択図】図３
2008298248.tif 000002
【特許請求の範囲】
【請求項１】
Ｏリングを装着した挿入筒部を備えてなる継手本体と、前記挿入筒部の基端側にパイプ差込空間を確保して覆うと共に、基部を継手本体に連結してなる透明覆体と、内周箇所に逆爪を周設した抜け止め用のバネリング板と、透明覆体の先端側に装着固定して、前記透明覆体の先端面に配置したバネリング板を回動自在に保持する筒状キャップ体とで構成してなる管継手において、挿入筒部の基端近接位置の外周面の全周に、塗着着色による所定幅の確認帯部を設けてなることを特徴とする管継手。
【発明の詳細な説明】
【技術分野】
【０００１】
本発明は、合成樹脂管の接続に使用する管継手に係り、特に合成樹脂管の接続確認の構造に関するものである。
【背景技術】
【０００２】
近年給水給湯配管に合成樹脂管（架橋ポリエチレン管やポリブテン管）が採用され、配管作業の簡素化を図るために、合成樹脂管（以下「パイプ」という）を差し込むのみで接続連結する所謂ワンタッチ継手が知られている。
【０００３】
ワンタッチ継手の基本的構成は、継手本体にパイプを外挿する接続部（挿入筒部：特許文献１）又は内挿する接続部（挿入筒部：特許文献２）を設けると共に、接続部に連結したパイプの抜け止め機構を備えているものである。
【０００４】
抜け止め機構としては、内周箇所に逆爪を周設した抜け止め用バネリングを、継手に差し入れられたパイプの外周面に位置し、パイプの抜け止め方向の移動に対して、前記逆爪がパイプに食い込むように継手に組み込む手段や（特許文献１，２）、弾発的な締付力で締め付けるためのスリット付きの締付環体を、パイプの先端部の当接によって離脱する拡径片で拡径して継手に組み込み、パイプ接続時にパイプ外周に締め付け装着し、当該拡径片が管継手の径小開口部に衝突することで抜け止めを実現する手段（特許文献２）が知られている。
【０００５】
またパイプの接続確認のために、管継手の一部を透明部材で形成したり、確認窓を設けて、パイプ連結状態を確認する手段も知られている（特許文献２，３）。
【０００６】
【特許文献１】登録第１１６０９４９号意匠公報。
【特許文献２】特開２００２−３１２８２号公報。
【特許文献３】特開２００５−１６３９７４号公報。
【発明の開示】
【発明が解決しようとする課題】
【０００７】
特許文献２で開示されているパイプ接続確認手段は、拡径片が飛んだか否かを透明部材で形成した箇所から目視で確認するものであるが、パイプの先端で拡径片を飛ばし、拡径片が飛んで直ぐに締付環体がパイプ外周に巻きつくので、パイプの最終端の位置は明確に確認できない。特に合成樹脂管は、現場の配管作業で所定の長さに切断されるものであり、必ずしも正確に管軸方向に直角に切断されるものではなく、数度の傾斜ずれの状態で切断される場合も少なく無い。このために最突出先端で拡径片を飛ばした場合には、パイプの接続が設計予定よりも不十分な状態で接続されている虞も十分に考えられる。
【０００８】
また同様に特許文献２記載の窓を採用した場合も、当該窓から確認できる箇所は特定の箇所となってしまい、パイプ先端の全周の状態は確認できない。また窓の開閉機構を付設する必要があり構造が複雑となってしまう。
【０００９】
そこで本発明は、構造が簡易で且つ接続されるパイプの先端の全周が確認できる新規な管継手を提案したものである。
【課題を解決するための手段】
【００１０】
本発明に係る管継手は、Ｏリングを装着した挿入筒部を備えてなる継手本体と、前記挿入筒部の基端側にパイプ差込空間を確保して覆うと共に、基部を継手本体に連結してなる透明覆体と、内周箇所に逆爪を周設した抜け止め用のバネリング板と、透明覆体の先端側に装着固定して、前記透明覆体の先端面に配置したバネリング板を回動自在に保持する筒状キャップ体とで構成してなる管継手において、挿入筒部の基端近接位置の外周面の全周に、塗着着色による所定幅の確認帯部を設けてなることを特徴とするものである。
【００１１】
而してパイプの先端を筒状キャップ体の開口箇所から差し入れると、差し入れ方向に対して抜け止め用バネリング板の逆爪は倒伏し、抜き方向に対しては起立してパイプに食い込む作用をなすので、パイプを挿入筒部に押し込むのみでパイプを継手本体に接続でき、特に差し込まれたパイプ先端は、透明覆い部越しに確認することができるので、パイプ先端部分による確認帯部の隠蔽の程度を全周にわたって確認することができる。
【発明の効果】
【００１２】
本発明は上記の構成としたものであるから、管継手へのパイプの連結状態がパイプ先端全周にわたって確認できるので、確認帯部の形成位置をパイプ差し込み程度の安全性と対応させることで、安全な連結確認がなされると共に、構造が非常に簡易であり、製造コストの面でも優れた安全確認手段といえる。
【発明を実施するための最良の形態】
【００１３】
次に本発明の実施形態について説明する。実施形態に示した管継手は、継手本体１と、透明覆体２と、バネリング板３と、筒状キャップ体４で構成される。
【００１４】
継手本体１は、金属製で管連結左右の中央にナット状頭部１１を設け、外周にネジを刻設した接続部１２を一方に設け、他方に透明覆体装着部１３と、挿入筒部１４を連続して設けたものである。
【００１５】
透明覆体装着部１３は、挿入筒部１４側に係止突出条１５を設けて、透明覆体２の圧入で連結される構造としたものである。尚係止突出条１５に代えて着脱できる係止リングを採用しても良い。
【００１６】
挿入筒部１４は、パイプＡとの連結に充分な長さを備え、且つパイプＡの内径に対応した外径に形成され、適宜箇所にＯリング１６を備え、基端の近接位置（係止突出条１５の先端面から１〜２ｍｍ程度離れた位置）に、外周面の全周にわたって２〜３ｍｍ程度の赤色のような使用配管に近似しない色彩の確認帯部１７を、塗着形成したものである。
【００１７】
尚前記の数値は、パイプＡを接続した際に、挿入筒部１４の長さやＯリング１６の位置によって定められる給水・給湯の漏れが生じない安全な範囲内に定めれば良いが、前記の位置が現場の作業を考慮した場合に、後述するように最適の位置といえる。
【００１８】
透明覆体２は、全体が透明樹脂（接続されたパイプが目視できる半透明の場合も含まれる）で全体を形成したもので、基部２１に透明覆体装着部１３へ圧入されて係止突出条１５に嵌め殺し状態で係合するための係止突部２２を設けると共に、透明覆体装着部１３に装着した際に、挿入筒部１４の基端側にパイプＡの差込空間が充分に確保できる内径を備え、先部外周に筒状キャップ体４螺合用のネジ２３を設けてなる。
【００１９】
抜け止め用のバネリング板３は、所定の弾性を備えた薄金属板で形成したもので、透明覆体２の先端面に対応するリング板部３１の内周箇所に、内方に傾斜突出した逆爪３２を周設したものである。
【００２０】
筒状キャップ体４は、先端開口部４１がパイプＡの挿入が可能な大きさで、且つ透明覆体２の先端面に対応する押圧面を備えると共に、ネジ２３と対応する内ネジを設けたものである。
【００２１】
管継手全体の組み立ては、前記の継手本体１の装着部１３に透明覆体２を圧入して、係止突出条１５と係止突部２２の係合で継手本体１と透明覆体２とを一体とし、バネリング板３を透明覆体２の先端面に、逆爪３２の先端が基方を向くように位置させて、筒状キャップ体４の内面に接着剤を塗布した状態で螺合装着して、バネリング板３がその円周方向に回動自在となるように、バネリング板３を透明覆体２の先端面と筒状キャップ体４で保持するようにしたものである。
【００２２】
尚ネジ２３と筒状キャップ体４の内ネジの組み合わせに替えて、透明覆体２と装着部１３の組み合わせのような係合構造を採用して装着固定しても良い。
【００２３】
而して前記の管継手は、継手本体１の接続部１２が給水・給湯の本管（図示せず）に接続され、挿入筒部１４にパイプＡが接続されるものであり、パイプＡは、挿入筒部１４に外挿するように押し込んで接続される。
【００２４】
即ちパイプＡの先端が筒状キャップ体４の開口部４１から差し入れられると、パイプＡの先端が逆爪３２を押し込むようにして進出し、挿入筒部１４に外嵌め状態に挿入され、パイプＡの挿入状態は透明覆体２を通して視認でき、特にパイプＡの先端部分によって確認帯部１７が完全に隠蔽されることで、パイプＡの差込みが完全になされたことが確認できるものである（図３ロ）。
【００２５】
確認帯部１７の一部でも目視できると、パイプＡの差込が完全ではないとし、パイプＡを更に基部方向に押し込むことで、パイプＡの差込装着を完全なものとするものである。
【００２６】
従って、管継手へのパイプＡの接続状態を簡単に確認することができ、配管作業の確実性並びに効率性が向上するものである。
【図面の簡単な説明】
【００２７】
【図１】本発明の実施形態の全体の分解斜視図。
【図２】同断面図。
【図３】同使用状態の説明図で、（イ）はパイプ接続前（ロ）はパイプ接続後。
【符号の説明】
【００２８】
１        継手本体
１１      ナット状頭部
１２      接続部
１３      透明覆体装着部
１４      挿入筒部
１５      係止突出条
１６      Ｏリング
１７      確認帯部
２        透明覆体
２１      基部
２２      係止突部
２３      ネジ
３        バネリング板
３１      リング板部
３２      逆爪
４        筒状キャップ体
４１      先端開口部
【図１】
2008298248.tif 000003
【図２】
2008298248.tif 000004
【図３】
2008298248.tif 000005